(57)【要約】【課題】  簡単な構成でありながら押込み操作部での防水性を向上することが可能な携帯機器を提供する。【解決手段】  腕時計（携帯機器）11は、外装ケース（機器外装体）12、操作部材41、保持リング46を備える。外装ケース12は環形の座面35aが形成された保持部35を有する。防水性能を有する軟質材料で操作部材41を形成する。操作部材41は、座面35aに着座される環形のパッキング部位42と、この部位に一体に連続されて外装ケース12の外側から押込み操作される押込み部位43を有する。保持リング46は、押込み部位43が貫通する開口47aを区画してパッキング部位42に接する環形の押え部46と、保持部35の周囲に配置されて外装ケース12に操作部材41を取付ける筒部48を有する。保持リング46で操作部材41が外装ケース12に取付けられた状態で、押え部46と座面35aがパッキング部位42をこの部位の厚み方向に圧縮して挟んでいることを特徴としている。【選択図】図２
2014160034.tif 000002
【特許請求の範囲】
【請求項１】
座面が形成された保持部を有する機器外装体と、
前記座面に着座されるパッキング部位、及びこの部位に一体に連続されて前記機器外装体の外から押込み操作される押込み部位を有し、防水性能を有する軟質材料で形成された操作部材と、
前記押込み部位が貫通する開口を区画しかつ前記パッキング部位に接する押え部、及び前記押え部に一体に連続され前記保持部の周囲に配置されて前記操作部材を前記機器外装体に取付ける筒部を有し、かつ、前記操作部材が前記機器外装体に取付けられた状態で前記押え部と前記座面とが前記パッキング部位をこの部位の厚み方向に圧縮して挟んだ状態に保持する保持リングと、
を具備することを特徴とする携帯機器。
【請求項２】
前記保持部の中央部を貫通する通孔を前記機器外装体が有し、前記通孔に押し軸を挿入し、この押し軸を覆った前記押込み部位を介して前記機器外装体の内部に前記押し軸が押込み可能であることを特徴とする請求項１に記載の携帯機器。
【請求項３】
前記保持部がその外周に雄ねじ部を有するとともに前記筒部がその内周に雌ねじ部を有し、この雌ねじ部と前記雄ねじ部との螺合により、前記操作部材が前記機器外装体に取付けられていることを特徴とする請求項１又は２に記載の携帯機器。
【請求項４】
前記保持部に対して直角に連続する前記機器外装体の外面と前記筒部の端面との間に、ギャップを設けたことを特徴とする請求項３に記載の携帯機器。
【請求項５】
前記操作部材が前記パッキング部位に一体に連続されて前記保持部の外周に嵌合される筒状の被挟持部位を有し、前記保持部と前記筒部とが前記被挟持部位をこの部位の厚み方向に圧縮した状態に挟んで前記被挟持部位の外周に圧入された前記筒部により、前記操作部材が前記機器外装体に取付けられていることを特徴とする請求項１又は２に記載の携帯機器。
【請求項６】
前記座面に対して直角に連続して前記押込み部位を内側から支える円筒形の支持部を、前記機器外装体が更に有することを特徴とする請求項１から５のうちのいずれか一項に記載の携帯機器。
【請求項７】
前記支持部の内径が前記通孔の径より大きく、前記押し軸が前記支持部の内周面でガイドされるヘッド部を有していることを特徴とする請求項６に記載の携帯機器。
【請求項８】
前記機器外装体がパイプ取付け孔を有した胴及びこの胴に一体化されたホルダを備え、このホルダが前記パイプ取付け孔に挿入されて前記通孔を形成したパイプ部を有し、かつ、前記ホルダに前記保持部が形成されていることを特徴とする請求項２から７のうちのいずれか一項に記載の携帯機器。
【請求項９】
請求項１から８のうちのいずれか一項に記載の携帯機器で形成された携帯時計。
【発明の詳細な説明】
【技術分野】
【０００１】
本発明は、押込み操作部を備えた携帯機器及び携帯時計に関する。
【背景技術】
【０００２】
腕時計や懐中時計などの携帯時計、ストップウォッチ、携帯電話、携帯型情報端末機などの携帯機器の中には、例えば機器外装体内の接点等を動作させる操作部材例えば押しボタンを機器外装体に取付けたものがある。この機器では、押しボタンが所定ストローク押込まれることによって、所定の機能が実行される。例えば携帯時計では、文字板を照明することができ、又は時計表示をアナログ表示からデジタル表示に或いはこの逆に切換えることができ、若しくは、デジタル表示された日付や曜日を修正することができる。
【０００３】
この種の携帯機器で押しボタンの軸部は機器外装体の内外を貫通しているので、押しボタンが設置された部分（押込み操作部）で防水をする必要がある。
【０００４】
そのために、機器外装体に固定されたパイプに貫通される押しボタンの軸部外周にリング形で弾性変形が可能なシール材を嵌合し、このシール材を径方向に圧縮した状態でパイプ内面に密接させることにより、押しボタンの軸部と機器外装体との間を防水する構造が採用されている（特許文献１参照。）。
【０００５】
又、外装ケースの内外を貫通する軸部を有した押しボタンのヘッド部を覆うキャップを備えて防水をする構成も提案されている。即ち、キャップは、フレキシブルな防水材料製で、開口された端部側に環状の周辺カラーを一体に有し、かつ、このカラーに一体に連続して前記開口を区画する環状リップを有している。キャップの外周に嵌められた固定リングを外装ケースに２本のねじで固定することによって、周辺カラーが固定リングと外装ケースとで挟まれて、外装ケースにキャップが固定されている。この固定により、キャップの環状リップが、外装ケースに形成された溝の底面に当って若干圧縮した状態に保持されて、防水が図られている（例えば、特許文献２参照。）。
【先行技術文献】
【特許文献】
【０００６】
【特許文献１】特開2004−319446号公報
【特許文献２】特開2009−133859号公報
【発明の概要】
【発明が解決しようとする課題】
【０００７】
特許文献１に記載された防水の構成によれば、押しボタンが軸方向に移動される際、シール材はパイプ内面を摺動する。このため、例えば、携帯機器が水に触れる条件、例えば水中等で押しボタンの操作がなされた場合、シール材によるシール箇所が、押しボタンと共に移動されることを原因として、シール性能が不安定化するに伴い、押しボタンが配置された部分で防水性能が低下する可能性がある。
【０００８】
更に、シール材とパイプ内面との間に押しボタンの外部から砂粒等の異物が侵入して、それがシール材とパイプ内面との間に噛み込むことも考えられる。こうした状況に至ると、押しボタンが配置された部分で防水性が低下する虞がある。
【０００９】
又、特許文献２に記載された防水の構成によれば、固定リングを固定したねじがキャップの周囲に１８０°離れて配置されているので、これら２本のねじからキャップの周方向に９０°隔たった位置で周辺カラーを挟む力が十分に確保され難いことに伴い、水中などでは、周辺カラーを超えて環状リップ側に水が浸入する可能性がある。そのため、水中でキャップを弾性変形させて、このキャップで覆われた押しボタンを操作した場合、防水性が低下する虞がある。即ち、水中でキャップが押されるに伴い、その環状リップに波及する押圧力で、環状リップが変形を伴って動かされることがある。その結果、環状リップによる防水性能が不安定化することで、防水性が低下する虞がある。
【００１０】
更に、特許文献２に記載された防水の構成によれば、キャップと、固定リングと、２本のねじを用いて防水をしている。このため、防水のための部品点数が多く構成が複雑であり、それに伴って防水のための組立工数も多いとともに、固定リングをねじ止めするために必要な外装ケースに対する加工数も多い。したがって、コストを低減させる上では不利である。
【００１１】
以上のように従来技術は、押しボタンまわりでの防水性について改善の余地があるとともに、構成を簡単化してコストを低減させる上でも改善の余地がある、という課題がある。
【００１２】
本発明の目的は、簡単な構成でありながら押込み操作部での防水性を向上することが可能な携帯機器及び携帯時計を提供することにある。
【課題を解決するための手段】
【００１３】
前記課題を解決するために、本発明の携帯機器は、座面が形成された保持部を有する機器外装体と、前記座面に着座されるパッキング部位、及びこの部位に一体に連続されて前記機器外装体の外から押込み操作される押込み部位を有し、防水性能を有する軟質材料で形成された操作部材と、前記押込み部位が貫通する開口を区画しかつ前記パッキング部位に接する押え部、及び前記押え部に一体に連続され前記保持部の周囲に配置されて前記操作部材を前記機器外装体に取付ける筒部を有し、かつ、前記操作部材が前記機器外装体に取付けられた状態で前記押え部と前記座面とが前記パッキング部位をこの部位の厚み方向に圧縮して挟んだ状態に保持する保持リングと、を具備することを特徴としている。
【００１４】
本発明の携帯機器は、腕時計や懐中時計などの携帯時計、ストップウォッチ、携帯電話、携帯型情報端末機等に適用でき、その機器外装体とは外装ケース等を指している。本発明で、保持部は、機器外装体をなす外装体構成部品に一体に形成されていても差し支えない。本発明で、操作部材は、機器外装体に収容された機器を制御するために機器外装体内等に設けられたスイッチをオンーオフする。この場合、押込み部位の押込み操作に連動して機器外装体内に突出されるように移動される押し軸を用いてスイッチを操作してもよく、或いは、押し軸を用いることなく、押込み部位の押込み操作とその解除によって、機器外装体に収容された機器を制御するために操作部材の内側に配置されたスイッチをオンーオフさせることも可能である。又、押込み操作力が消失するに伴い、押込み部材を元の状態に戻すとともに押込み操作上の感触を与えるためのばね等を備えることは好ましいが、このばねは省略することも可能である。
【００１５】
本発明で、操作部材を構成する軟質材料には、軟質ポリプロピレンや軟質塩化ビニル等の軟質プラススチック、又はエラストマ等の軟質樹脂、或いはフッ素ゴムやシリコーンゴム等の合成ゴムを用いることが可能である。この操作部材の押込み部位は、押込み操作力が加わらなくなるに伴って、自己の弾性で押される前の状態に復元する押込み部位であってもよく、又、押込み操作力が加わらなくなるに伴ってばね力で押される前の状態に復元する押込み部位であってもよい。
【００１６】
本発明では、操作部材の押込み部位が押込み操作されることに基づいて、機器外装体に収容された機器を制御するスイッチ等を動作させることで、前記機器が有する所定の機能を発揮させることが可能である。本発明において、操作部材の内部に対する防水は、機器外装体の保持部が有する座面と保持リングの押え部とが、操作部材のパッキング部位をその厚み方向に圧縮して挟んだ箇所、つまり、環状のシール部で担っている。このため、シール部の各位置でのシール性能にばらつきを生じ難い。更に、保持部と保持リングは不用意に動くことがないので、前記シール部は、押込み部位が押込まれ、又は押込まれる前の状態に押込み部位が復元されることに伴って動かされることがない。このため、シール部でのシール性能が不安定化することがない。又、保持リングの筒部によって操作部材が機器外装体に取付けられるので、保持リングを機器外装体に固定するための部品を要しない。
したがって、本発明によれば、簡単な構成でありながら、保持部、操作部材、及び保持リングを有して形成される押込み操作部での防水性を向上することが可能である。
【００１７】
本発明の携帯機器の好ましい形態は、前記保持部の中央部を貫通する通孔を前記機器外装体が有し、前記通孔に押し軸を挿入し、この押し軸を覆った前記押込み部位を介して前記機器外装体の内部に前記押し軸が押込み可能であることを特徴としている。
この好ましい形態では、操作部材の押込み部位が押込み操作されるに伴って、押込み部位によって押し軸が機器外装体の内部に突出するように移動され、この押し棒により機器外装体に収容された内蔵機器を制御するスイッチ等が動作される。これにより、前記機器が有する所定の機能を発揮させることが可能である。この押し軸の移動に拘らずに、環状のシール部は動かされないため、簡単な構成でありながら押込み操作部での防水性を向上することが可能である。
【００１８】
本発明の携帯機器の好ましい形態は、前記保持部がその外周に雄ねじ部を有するとともに前記筒部がその内周に雌ねじ部を有し、この雌ねじ部と前記雄ねじ部との螺合により、前記操作部材が前記機器外装体に取付けられていることを特徴としている。
この好ましい形態では、機器外装体の保持部に対する保持リングのねじ込みの程度により、操作部材のパッキング部位の圧縮度（言い換えれば、シール部のシール性能）を調整することが可能である。更に、雌ねじ部と雄ねじ部との螺合は比較的容易に外すことが可能であるので、シール部を分解して操作部材の交換を行うことが可能である。
【００１９】
本発明の携帯機器の好ましい形態は、前記保持部に対して直角に連続する前記機器外装体の外面と前記筒部の端面との間に、ギャップを設けたことを特徴としている。
この好ましい形態では、ギャップが消失するまで保持リングを保持部にねじ込むことができ、ねじ込みを深くするほどパッキング部位の圧縮度を強めることが可能である。このため、保持リングのねじ込みを深くすることで、シール部のシール性能を改善することが可能である。
【００２０】
本発明の携帯機器の好ましい形態は、前記操作部材が前記パッキング部位に一体に連続されて前記保持部の外周に嵌合される筒状の被挟持部位を有し、前記保持部と前記筒部とが前記被挟持部位をこの部位の厚み方向に圧縮した状態に挟んで前記被挟持部位の外周に圧入された前記筒部により、前記操作部材が前記機器外装体に取付けられていることを特徴としている。
この好ましい形態では、保持部と筒部とで圧縮状態に挟まれた被挟持部位も防水性能を発揮するので、押込み操作部における防水性能をより向上することが可能である。更に、操作部材を機器外装体に取付けるのに、保持部及び筒部の夫々にねじ部を形成する必要がないため、保持部及び筒部に対する加工コストを低減することが可能である。
【００２１】
本発明の携帯機器の好ましい形態は、前記座面に対して直角に連続し前記押込み部位の内側から支える円筒形の支持部を、前記機器外装体が更に有することを特徴としている。
この好ましい形態では、支持部の外周への押込み部位の嵌合により、保持部に対して操作部材が位置決めされる。これにより、押込み操作部を組立てる際、パッキング部位がその徑方向にずれ動くことを支持部で防止できる。
【００２２】
本発明の携帯機器の好ましい形態は、前記支持部の内径が前記通孔の径より大きく、前記押し軸が前記支持部の内周面でガイドされるヘッド部を有していることを特徴としている。
この好ましい形態では、押し軸がその軸方向に移動される際、この押し軸のヘッド部を支持部でガイドさせて、押し軸の移動を安定させることが可能である。
【００２３】
本発明の携帯機器の好ましい形態は、前記機器外装体がパイプ取付け孔を有した胴及びこの胴に一体化されたホルダを備え、このホルダが前記パイプ取付け孔に挿入されて前記通孔を形成したパイプ部を有し、かつ、前記ホルダに前記保持部が形成されていることを特徴としている。
この好ましい形態では、ホルダと胴とが別々の部品であるので、保持部を一体に有する胴を成形する場合と比較して、胴を成形する金型が複雑化しない。又、胴とは関係なくこれと別部品であるホルダに保持部を加工できるので、胴を加工してこの胴に保持部を一体に形成する場合と比較して、金型の加工コストを低減することが可能である。
【００２４】
前記課題を解決するために、本発明の携帯時計は、前記各発明のうちのいずれかの発明の携帯機器で形成されている。
本発明によれば、前記各発明のうちのいずれかの発明の携帯機器で携帯時計が形成されているので、簡単な構成でありながら押込み操作部での防水性を向上することが可能な携帯時計を提供できる。
【発明の効果】
【００２５】
本発明によれば、押込み操作部で防水をするために必要とする部品点数が低減されるので、防水の構成が簡単であるとともに、操作部材が有する押込み部位の押込み操作に拘わらずに、操作部材のパッキング部位とこれを挟んだ保持部の座面と保持リングの押え部とがなすシール部が動くことはないので、押込み操作部での防水性を向上することが可能な携帯機器及び携帯時計を提供できる。
【図面の簡単な説明】
【００２６】
【図１】本発明の第１の実施の形態に係る腕時計を示す正面図である。
【図２】図１のＦ−Ｆ線に沿って示す腕時計の断面図である。
【図３】図１の腕時計が備える押込み操作部を分解して示す斜視図である。
【図４】本発明の第２の実施の形態に係る腕時計を示す図２相当の断面図である。
【図５】本発明の第３の実施の形態に係る腕時計を示す図２相当の断面図である。
【図６】本発明の第４の実施の形態に係る腕時計を示す図２相当の断面図である。
【図７】図６の腕時計が備える押込み操作部を分解して示す斜視図である。
【発明を実施するための形態】
【００２７】
本発明の第１の実施の形態を図１〜図３を参照して説明する。
図１及び図２中符号１１は携帯機器例えば携帯時計具体的には水中での使用可能な防水性能を有する腕時計を示している。腕時計１１は機器外装体例えば時計用の外装ケース１２を備えている。
【００２８】
図２に示すように外装ケース１２内に、表示板例えば文字板１３、内蔵機器、例えば時刻表示をする時針１４（図１参照）の動きを制御するムーブメント１５、図示しないランプ、及び電源として例えば図示しない電池等が収められている。
【００２９】
ムーブメント１５は、応動部材例えば接点部材１６を、少なくとも一個例えば２個（図２に１個のみ図示する）有している。これらの接点部材１６は、板ばね等で形成されていて、ムーブメント１５の外周から突出されている。接点部材１６が後述の押込み操作部３１により押されることによって、ムーブメント１５等が夫々の押込み操作部３１に与えられた機能を発揮するようになっている。例えば、図１中右上の押込み操作部３１は時間計測のためのスタート・ストップの機能を担い、図１中右下の押込み操作部３１はランプの点灯・消灯をする機能を担っている。
【００３０】
図２に示すように外装ケース１２は、ステンレス鋼やチタン等の金属や合成樹脂等により環状に作られた胴２１の正面に、文字板１３を透視させるカバーガラス２２を液密に装着するとともに、胴２１の裏面に、金属や合成樹脂等から作られた裏蓋２３を液密に装着して形成されている。第１実施形態において胴２１は、例えば金属製であるとともに、カバーガラス２２が装着される第１胴部材２４と裏蓋２３が装着される第２胴部材２５をろう付け等により一体化して形成されている。しかし、これに制約されず、胴２１は単一部品であってもよい。
【００３１】
なお、図２中符号２６は連結された第１胴部材２４と第２胴部材２５間をシールするためのパッキンを示し、符号２７,２８は夫々外装ケース１２の液密を保持するためのパッキンを示している。又、図２中符号２９はムーブメント１５を支持する中枠を示し、更に、図１中符号３０はムーブメント１５を操作するための竜頭を示している。
【００３２】
外装ケース１２の所定箇所例えばこの外装ケース１２の周側壁をなす胴２１の二箇所、具体的には竜頭３０を間に置いてこの竜頭３０の両側（図１において竜頭３０の上側と下側）に、押込み操作部３１が設けられている。これら押込み操作部３１の構成は同じであるため、ここでは図２を参照して文字板１３を照明するランプの点灯・消灯を担う押込み操作部３１を代表して説明する。
【００３３】
押込み操作部３１は、以下説明するように外装ケース１２が有する保持部３５、支持部３６、及び通孔３４ａと、保持部３５を覆って配置される操作部材４１と、この操作部材４１を保持部３５に保持させる保持リング４６と、操作部材４１によって外装ケース１２内に突出するように押込まれる押し軸５１と、この押し軸５１を押される前の元に位置に戻すばね６１とを備えている。
【００３４】
詳しくは、外装ケース１２の胴２１は、丸孔からなるパイプ取付け孔３２を有しているとともに、ホルダ３３を備えている。パイプ取付け孔３２は胴２１の半径方向に沿って第２胴部材２５を貫通して形成されている。ホルダ３３は、例えば第２胴部材２５と同種の金属で第２胴部材２５とは別成形された部品であって、第２胴部材２５に図示しないろう材を用いて連結されている。それにより、ホルダ３３と第２胴部材２５は一体化されている。
【００３５】
ホルダ３３は、パイプ部３４と、保持部３５と、支持部３６と、凹部３７を備えている。パイプ部３４の中心軸線が延びる方向と直交する方向の断面は円環形であり、このパイプ部３４の両端は夫々開口されている。
【００３６】
保持部３５は、パイプ部３４の一端部外周に連続して形成されていて、パイプ部３４より大径である。保持部３５は座面３５ａと雄ねじ部３５ｂを有している。座面３５ａは、保持部３５に対するパイプ部３４の突出方向と反対側に位置された保持部３５の面、つまり、ホルダ３３の中心軸線と直交する方向に沿う面で形成されている。この座面３５ａはホルダ３３の中心軸線を中心とする円環形をなしている。雄ねじ部３５ｂは座面３５ａ対し直角に連続する保持部３５の外周に形成されている。
【００３７】
支持部３６は、保持部３５より小径な円筒形をなしていて、座面３５ａに対し直角に連続し、かつ、保持部３５に対するパイプ部３４の突出方向と反対方向に突出されている。凹部３７は、その周囲を支持部３６で区画されて保持部３５に形成されており、保持部３５に対するパイプ部３４の突出方向と反対側に開放されている。したがって、凹部３７の内径、言い換えれば、支持部３６の内径はパイプ部３４の内径より大きく、この凹部３７の底面にパイプ部３４が開放されている。
【００３８】
以上説明した構成のホルダ３３は、そのパイプ部３４がパイプ取付け孔３２に胴２１の外側から挿入され、かつ、保持部３５が第２胴部材２５の外面２５ａに接触された状態に、第２胴部材２５にろう付けされている。外装ケース１２は、パイプ部３４の内部空間により形成された通孔３４ａを有している。通孔３４ａは保持部３５の中央部を貫通して、胴２１の内外を連通している。
【００３９】
なお、ホルダ３３は第２胴部材２５と一体に成形してもよい。この場合、パイプ部及びパイプ取付け孔に相当する構成はなく、通孔３４ａは第２胴部材２５を貫通して胴２１の内外を連通して形成される。
【００４０】
前記のようにホルダ３３と胴２１とを別々の部品としてこれらを一体化した構成は、保持部３５を一体に有する胴２１を成形する場合と比較して、胴２１を成形する金型が複雑化しない。そのため、成形コストが低減され、腕時計全体のコストダウンに寄与することが可能である。更に、胴２１とは関係なくこれと別部品であるホルダ３３に保持部３５を加工できる。このため、胴２１を加工してこの胴２１に保持部３５を一体に形成する場合と比較して、加工コストが低減され、腕時計全体のコストダウンに寄与することが可能である。
【００４１】
操作部材４１は防水性能を有する軟質材料の一体成形品である。軟質材料には、例えば海水等に対しても耐性が高く、かつ、自在に変形が可能な材料好ましくは弾性変形が可能な材料、具体的にはシリコーンゴム等を好適に使用できる。この操作部材４１は、図２及び図３に示すようにパッキング部位４２と押込み部位４３を有して形成されている。
【００４２】
押込み部位４３はその周壁が円筒形をなすキャップ状であり、その閉じた端壁の中央部は裏面側に突出されて他の部位よりも肉厚に形成されている。押込み部位４３の内径は支持部３６の外径に略等しく、かつ、押込み部位４３の軸方向の長さは座面３５ａに対する支持部３６の突出寸法より長い。パッキング部位４２は、例えば操作部材４１の開口を区画して、押込み部位４３の周壁に連続して外側に一体に張り出している。このパッキング部位４２は座面３５ａと略同形の環形に形成されている。
【００４３】
操作部材４１は、そのパッキング部位４２を座面３５ａに着座させるとともに、押込み部位４３を支持部３６の外面に嵌合させて配設されている。この操作部材４１の押込み部位４３は、外装ケース１２の外から内部に向けて押込み操作することが可能であるとともに、内側から押込み方向と反対向きの力を受けることで、押し込まれる前の元の状態に戻ることが可能である。
【００４４】
保持リング４６は好ましくはホルダ３３と同種の金属や硬質合成樹脂で形成されている。保持リング４６は押え部４７とこれに一体に連続された筒部４８を有している。
【００４５】
押え部４７は、パッキング部位４２に接してこれを座面３５ａとの間で挟む部位であるとともに、開口４７ａを区画して環形に形成されている。開口４７ａの径は押込み部位４３の外径より大きい。この押え部４７が連続された筒部４８は、円筒形であり、その内周にホルダ３３の雄ねじ部３５ｂに取外し可能に螺合される雌ねじ部４８ａが形成されている。なお、図２及び図３中符号４９は、押え部４７と筒部４８とが形成した角部の外面に開放し、かつ、周方向に間隔的に形成された係合凹部を示している。保持リング４６は係合凹部４９に図示しない工具を引掛けた状態で回転される。
【００４６】
押し軸５１は、金属又は硬質合成樹脂の一体成形品であって、軸部５２とヘッド部５３を備えている。
【００４７】
軸部５２は、円柱状であって、パイプ部３４の軸長より長い。この軸部５２はパイプ部３４を軸方向に移動可能に貫通していて、胴２１の内部に突出された軸部５２の軸端部（先端部）に、パイプ部３４から押し軸５１を抜け止めする止め輪５４が取付けられている。止め輪５４は、金属製でＣ型又はＥ型であって、胴２１の内側からパイプ部３４の端面に引っ掛かる大きさを有している。
【００４８】
軸部５２の端に一体に設けられたヘッド部５３は円筒形の周壁を有している。この周壁の外径は凹部３７の内径より僅かに小さい。このヘッド部５３は支持部３６の内周面を摺動可能である。
【００４９】
軸部５２の軸方向中間部にパッキン取付け溝５２ａが形成されている。これとともに、パッキン取付け溝５２ａに防水及び防塵を担うパッキン５５が取付けられている。パッキン５５は、弾性変形が可能なゴム系又はプラスチックス系の材料でリング状に形成されていて、パイプ部３４の内周面を摺動可能である。このパッキン５５によって、パイプ部３４と軸部５２との間が液密にシールされている。
【００５０】
ばね６１は、コイルばねからなり、その両端を凹部３７の底面とこれに対向したヘッド部５３の裏面に接して、これらの面で圧縮された状態に挟まれている。このばね６１は、押し軸５１が押し込まれた場合に更に圧縮可能である。ばね６１のばね力によって、押し軸５１が外装ケース１２の外部に向けて、具体的には胴２１の外側方に向けて付勢されている。それにより、止め輪５４が外装ケース１２の内部に突出されたパイプ部３４の端面に引っ掛かった状態に保持される。これとともに、ヘッド部５３が押込み部位４３に接して、押込み部位４３が胴２１の外側方に向けて付勢された状態が保持されている。
【００５１】
次に、押込み操作部３１を組立てる手順を説明する。この場合、胴２１が有するホルダ３３は予め第２胴部材２５にろう付けされている。
【００５２】
まず、パッキン５５が取付けられた押し軸５１の軸部５２の外周に、ばね６１を遊嵌した状態で、裏蓋２３が未装着の胴２１の通孔、つまり、ホルダ３３に形成された通孔３４ａに、軸部５２を胴２１の外側から内側に向けて挿入しばね６１を圧縮する。この挿入状態で、胴２１の内側で軸部５２に止め輪５４を取付ける。
【００５３】
これにより、止め輪５４がパイプ部３４の先端に引掛ってばね６１の圧縮状態が維持される。これとともに、パッキン５５が、弾性変形を伴って縮徑方向に圧縮された状態となり、通孔３４ａの内面に摺動可能に密接される。そのため、通孔３４ａの内面と軸部５２との間が水密にシールされる。
【００５４】
次に、胴２１の外側で、この胴２１の支持部３６の外周に操作部材４１が有した押込み部位４３の内周面を嵌合させて、操作部材４１のパッキング部位４２をホルダ３３の座面３５ａに着座させる。これにより、操作部材４１が胴２１の外側に突出している押し軸５１のヘッド部５３を覆うとともに、押込み部位４３の内面がヘッド部５３の端壁に接するように操作部材４１が配置される。そのため、外装ケース１２の外部から外装ケース１２の内部に向けて押込み部位４３が押込まれるに伴い、この押込み部位４３を介して軸部５２を外装ケース１２の内部に押込み可能となるように操作部材４１が配置される。
【００５５】
こうした操作部材４１の配置作業では、既述のように支持部３６の外周に押込み部位４３が嵌合されることで、ホルダ３３の保持部３５に操作部材４１を位置決めできるので、押込み操作部３１の組立てを容易化できる。
【００５６】
最後に、外装ケース１２の外部で、ホルダ３３に保持リング４６を取付ける。即ち、保持リング４６が有する開口４７ａに操作部材４１の押込み部位４３を貫通させながら、保持リング４６が有した筒部４８をホルダ３３が有した保持部３５の周囲に配置して、操作部材４１を外装ケース１２に取付ける。この場合、筒部４８の内面に形成された雌ねじ部４８ａを保持部３５の外周に形成された雄ねじ部３５ｂに螺合する。
【００５７】
こうして操作部材４１が外装ケース１２に取付けられた状態は図２に示されている。この状態で、保持リング４６の押え部４７と座面３５ａとは、これらに接したパッキング部位４２をこの部位の厚み方向に圧縮して挟んでいる。押え部４７と座面３５ａとこれらに挟まれたパッキング部位４２とは、外装ケース１２とこれに取付けられた押込み操作部３１との間を液密にシールするシール部を形成している。
【００５８】
シール部が組立てられる場合、既述のように操作部材４１がホルダ３３に位置決めされているので、押え部４７が座面３５ａとの間にパッキング部位４２を挟む際に、パッキング部位４２が徑方向にずれ動くことを支持部３６で防止できる。これにより、押え部４７と座面３５ａとでパッキング部位４２を確実に挟んで、シール部を組立てることが可能である。
【００５９】
なお、この組立てにおいて、パッキング部位４２が適正に挟まれない場合、開口４７ａにパッキング部位４２が食み出し、或いは、押込み部位４３が歪み。これらの不良状態は、開口４７ａに押込み部位４３が通されていることから、視認することができるので、組立不良の発見が容易である。
【００６０】
以上のように保持リング４６をホルダ３３にねじ込んで操作部材４１を外装ケース１２に取付ける場合、保持リング４６のねじ込みの程度を加減することにより、パッキング部位４２の圧縮度を調整することが可能である。言い換えれば、シール部のシール性能を調整することが可能である。又、雌ねじ部４８ａと雄ねじ部３５ｂとの螺合は比較的容易に外すことが可能である。そのため、経年変化などで操作部材４１が劣化した等によりシール部のメンテナンスが必要な場合、保持リング４６を外すことで、シール部を分解して、例えば操作部材４１を容易に交換することが可能である。
【００６１】
なお、挟まれて弾性変形した状態にあるパッキング部位４２が復元しようとする力が、雌ねじ部４８ａと雄ねじ部３５ｂとの螺合箇所に作用している。そのため、保持リング４６が取付けられた状態に保持される。これとともに、第１実施形態では、筒部４８の先端面が、保持部３５に対して直角に連続した外装ケース１２の外面をなした第２胴部材２５の外面２５ａに密に接触しているので、この部分での摩擦抵抗によっても、保持リング４６の取付け状態が保持される。
【００６２】
以上のように組立てられた押込み操作部３１を備えた腕時計１１において、押込み操作部３１が有した操作部材４１の押込み部位４３が、その変形を伴いながら胴２１の外側からばね６１のばね力に抗して押し込まれた場合、押し軸５１が胴２１の内部に向けて押し込まれて、この押し軸５１の軸部５２の先端がこれに対向して配設されている接点部材１６を押圧する。それにより、以上のように押込み操作された押込み操作部３１に割り当てられた機能が発揮され、例えば文字板１３を照明するランプが点灯される。この後、押込み部位４３に対する押込み操作力が加わらなくなるに伴い、押し軸５１がばね６１により胴２１の外側に向けて押し戻される。これとともに、押し軸５１のヘッド部５３により押込み部位４３が押し込まれる前の状態に押し戻される。
【００６３】
この場合、押込み操作部３１の操作に伴って以上のように移動される押し軸５１は、その軸部５２がパッキン５５を介して通孔３４ａを形成する壁面つまりパイプ部３４に摺動可能に支持されているだけではなく、押し軸５１のヘッド部５３が支持部３６の内周面に摺動可能に支持されている。これにより、押し軸５１の移動がパイプ部３４及び支持部３６でガイドされるので、押し軸５１を安定させた状態でその軸方向にさせることが可能である。
【００６４】
水中等において腕時計１１の操作部材４１の内部に対する防水は、環状のシール部、つまり、胴２１の保持部３５が有する座面３５ａと保持リング４６の押え部４７とが、操作部材４１のパッキング部位４２をその厚み方向に圧縮して挟んだ箇所が担っている。
【００６５】
押え部４７は座面３５ａと同様な環形であるので、シール部の各位置でのシール性能にばらつきを生じ難く、環形のパッキング部位４２をその全周にわたり均一に圧出させて圧縮してシール部を構成できる。これにより、操作部材４１の内部に対する防水及び防塵のためのシール性能を安定化できる。
【００６６】
更に、保持部３５とこの周囲に配置された保持リング４６は不用意に動かないので、押込み部位４３が押込まれ、又は押込まれる前の状態に押込み部位４３が復元されることに伴って、前記シール部が動かされることがない。言い換えれば、シール部は押込み部位４３の動きに影響されることがなく、シール性能を維持できる。このため、パッキング部位４２を有したシール部のシール性能が不安定化することがない。これとともに、前記シール部のパッキング部位４２が動かないことに伴い、このパッキング部位４２が摩耗してシール部でのシール性能が不安定化することもない。
【００６７】
したがって、押込み操作部３１での防水性が向上される。このため、水中で押込み操作部３１を操作することが可能である。ｚかも、第１実施形態では、前記シール部と胴２１の内部との間に、押し軸５１に取付けられたパッキン５５による防水のためのシール部を更に備えている。このような二重シールにより、水や砂粒等の異物が胴２１の内部へ侵入することを、より確実に防止することが可能である。この場合、パッキング部位４２を有した外側のシール部により、胴２１の内部側のパッキン５５を有した内側シール部に砂粒等の異物の侵入が防止されるに伴い、パッキン５５とパイプ部３４との間への前記異物の噛み込みが防止される。このため、パッキン５５による防水のためのシール部の性能が維持されて、防水性能を保持することが可能である。これとともに、異物の噛み込みがないことに伴って、押込み操作部３１の操作性の低下、言い換えれば、押し軸５１を押込み移動させる操作が重くなることを防止することも可能である。
【００６８】
又、操作部材４１の内部に対する防水を担うパッキング部位４２を有した保持リング４６は、その筒部４８によって操作部材４１を外装ケース１２に取付けているので、パッキング部位４２を圧縮する押え部４７を有した保持リング４６を外装ケース１２に固定するための部品を要しない。これにより、保持部３５、操作部材４１、及び保持リング４６を有して形成される押込み操作部３１の構成を簡単にできる。
【００６９】
以上説明したように実施形態１の腕時計１１によれば、簡単な構成でありながら押込み操作部３１での防水性を向上することが可能である。
【００７０】
図４は本発明の第２の実施の形態を示している。この第２実施形態の構成は以下の説明を除いて第１実施形態と同じであるので、第１実施形態と同じ構成又は同一の機能を奏する構成については、第１実施形態と同一符号を付して説明を省略する。
【００７１】
第２実施形態で、押込み操作部３１が組立てられた状態で、保持リング４６が有した筒部４８の端面は、第２胴部材２５の外面２５ａから離れていて、これらの間にギャップＧが設けられている。これ以外の第２実施形態の構成は、図４に示されない構成を含めて第１実施形態の腕時計１１と同じである。
【００７２】
したがって、第２実施形態でも、第１実施形態で説明した理由により、簡単な構成でありながら押込み操作部３１での防水性を向上することが可能な腕時計１１を提供できる。加えて、第２実施形態では、ギャップＧが消失するまで保持リング４６を保持部３５にねじ込むことが可能である。このねじ込みを深くするほどパッキング部位４２の圧縮度を強められる。このため、経年変化等により、パッキング部位４２を有するシール部のシール性能の劣化が予想される場合、これに対処することが可能である。即ち、保持リング４６のねじ込みを深くすることで、パッキング部位４２を更に圧縮して、このパッキング部位４２を有するシール部のシール性能を改善できる。
【００７３】
図５は本発明の第３の実施の形態を示している。この第３実施形態の構成は以下の説明を除いて第１実施形態と同じであるので、第１実施形態と同じ構成又は同一の機能を奏する構成については、第１実施形態と同一符号を付して説明を省略する。
【００７４】
第３実施形態では、通孔３４ａを区画した壁であるパイプ部３４との間をシールするために第１実施形態で用いたパッキンが省略されている。この省略は、パッキング部位４２を有したシール部が、パイプ部３４より胴外側に設けられていることにより可能である。そして、押し軸５１の軸部５２は、胴２１の通孔３４ａを区画したパイプ部３４に摺動可能に貫通されている。これ以外の第３実施形態の構成は、図５に示されない構成を含めて第１実施形態の腕時計１１と同じである。
【００７５】
したがって、第３実施形態でも、第１実施形態で説明した理由により、簡単な構成でありながら押込み操作部３１での防水性を向上することが可能な腕時計１１を提供できる。しかも、第１実施形態で用いたパッキンの省略に伴い、更に部品点数が削減されてコストダウンに貢献することが可能である。
【００７６】
しかも、パイプ部３４の内面を摺動可能なパッキンがある場合、このパッキンがパイプ部３４の内面を摺動することによって摩耗するので、長期間の使用により、パイプ部３４の内側での防水性能が次第に低下する虞がある。その上、摺動を原因とする摩耗に伴ってパッキンからけば立つ様に成長し分離される異物が、パッキンとパイプ部３４との間に噛み込んで、パイプ部３４の内側での防水性能が次第に低下する虞がある。しかし、こうした懸念は、第３実施形態ではパイプ部３４の内面を摺動可能なパッキンが存在しないので、発生することがない。
【００７７】
図６及び図７は本発明の第４の実施の形態を示している。この第４実施形態の構成は以下の説明を除いて第１実施形態と同じであるので、第１実施形態と同じ構成又は同一の機能を奏する構成については、第１実施形態と同一符号を付して説明を省略する。
【００７８】
第４実施形態は、操作部材４１を保持部３５に取付ける構成が第１実施形態とは異なる。
詳しくは、胴２１が有したホルダ３３の保持部３５の外周は円形であり、第１実施形態で採用した雄ねじ部は省略されている。これに応じて、保持リング４６が有した筒部４８の内周は円形である、第１実施形態で採用した雌ねじ部は省略されている。この筒部４８の内径は保持部３５の外径よりも大きい。
【００７９】
更に、操作部材４１は筒状の被挟持部位４４を有している。被挟持部位４４はパッキング部位４２に一体に連続されている。この被挟持部位４４は、パッキング部位４２を境に押込み部位４３とは反対側に突出されていて、操作部材４１の最大径部をなしている。被挟持部位４４は保持部３５の外周に嵌合されている。そのため、操作部材４１は、その内面を、保持部３５の外周、保持部３５の座面３５ａ、及び支持部３６の外周に接した形態で、保持部３５及び支持部３６を覆って設けられている。
【００８０】
保持リング４６の筒部４８は被挟持部位４４の外周に圧入された形態で保持部３５の周囲に配置されている。被挟持部位４４はこの部位の厚み方向に保持部３５と筒部４８とで圧縮された状態に挟まれている。これにより、操作部材４１が保持部３５に取付けられているとともに、押込み操作部３１が組立てられている。この組立てによって、操作部材４１のパッキング部位４２がこれに厚み方向から接した座面３５ａと押え部４７とで圧縮状態に挟まれた状態に保持されている。
【００８１】
以上説明した以外の第４実施形態の構成は、図６及び図７に示されない構成を含めて第１実施形態の腕時計１１と同じである。
【００８２】
したがって、第４実施形態でも、第１実施形態で説明した理由により、簡単な構成でありながら押込み操作部３１での防水性を向上することが可能な腕時計１１を提供できる。しかも、
更に、第４実施形態では、保持部３５と筒部４８とで圧縮状態に挟まれてパッキング部位４２に連続された被挟持部位４４も防水性能を発揮する。これにより、押込み操作部３１における防水距離が長く確保されるので、防水性能をより向上することが可能である。
【００８３】
これとともに、第４実施形態で、被挟持部位４４の外周に圧入された保持リング４６に回転力が加わった場合でも、この保持リング４６は不用意に回転され難い。これにより、パッキング部位４２を有するシール部でのシール性能を維持する上で好適である。
【００８４】
しかも、操作部材４１を外装ケース１２に取付けるのに、保持部３５の外周に嵌合された操作部材４１の被挟持部位４４の外周に、保持リング４６の筒部４８を圧入することで実現しているので、保持部３５及び筒部４８に対して共にねじ部を形成する必要がない。このため、保持部３５及び筒部４８に対する加工コストが低減されて、全体のコストダウンに貢献することができる。
【００８５】
なお、上述した各実施形態では、座面、パッキング部位、及び押え部の形状は、外周が円形の環形であるが、これに制約されず、例えば、外周形状が、角形、又は多角形等であっても構わない。
【符号の説明】
【００８６】
１１…腕時計（携帯機器：携帯時計）
１２…外装ケース（機器外装体）
１５…ムーブメント(内蔵機器)
１６…接点部材（応動部材）
２１…胴
２５ａ…外装ケースが有した第２胴部材の外面
３１…押込み操作部
３２…パイプ取付け孔
３３…ホルダ
３４…パイプ部
３４ａ…通孔
３５…保持部
３５ａ…座面
３５ｂ…雄ねじ部
３６…支持部
３７…凹部
４１…操作部材
４２…パッキング部位
４３…押込み部位
４４…被挟持部位
４６…保持リング
４７…押え部
４７ａ…開口
４８…筒部
４８ａ…雌ねじ部
５１…押し軸
５２…軸部
５３…ヘッド部
６１…ばね
【図１】
2014160034.tif 000003
【図２】
2014160034.tif 000004
【図３】
2014160034.tif 000005
【図４】
2014160034.tif 000006
【図５】
2014160034.tif 000007
【図６】
2014160034.tif 000008
【図７】
2014160034.tif 000009